(57)【要約】      （修正有）【課題】夜光反射バンドの芯材として用いられる帯状弾性材の優れた特性に着目し、捕虫網の網枠部の一部に使用することで、網枠部と木の幹との隙間から虫に逃げられたり、また、虫カゴに入れるまでに昆虫に逃げられるという課題を一挙に解決できる捕虫網を提供する。【解決手段】捕虫網１の網枠部４を２つの横部材２と２つの縦部材３の先端同志が係合された矩形状に形成し、横部材２には、弾性特性を有する軟質プラスティック素材を薄帯状かつ断面半月状に一体形成した帯状弾性材５を使用することで、横部材２が直線状の自立形状と網袋部材の反対側に丸まった収縮形状とを取りうるようにした。【選択図】図１
0003215565.tif 000002
【実用新案登録請求の範囲】
【請求項１】
２つの横部材と２つの縦部材の先端同志が係合され矩形状に形成された網枠部と、
前記網枠部の全周に沿って開口部が取り付けられた網袋部と、
前記網枠部の１つの横部材にＴ字を形成するよう先端部が係合された柄部と、
を備えた捕虫網であって、
前記横部材は、弾性特性を有する軟質プラスティック素材を薄帯状かつ断面半月状に一体形成した帯状弾性材からなり、前記横部材は直線状の自立形状と前記網袋部材の反対側に丸まった収縮形状とを取りうることを特徴とする捕虫網。
【請求項２】
前記縦部材は、金属、又は強化プラスティック、又はカーボン、又は木を素材とする棒であることを特徴とする、請求項１に記載された捕虫網。
【考案の詳細な説明】
【技術分野】
【０００１】
本考案は、網枠部が木の幹の形状に沿って変形するとともに、網袋部の開口部が閉じることで確実な虫取りを可能とする捕虫網の技術に関する。
【背景技術】
【０００２】
一般に知られている捕虫網は、網袋部の開口部が円形の針金からなる網枠部に取り付けられ、網枠部の一カ所に柄部の先端部が係合され、構成されている。
【０００３】
捕虫網を使って木の幹にいる昆虫を捕えようしても、捕虫網の網枠部と木の幹の隙間から昆虫に逃げられることがある。そこで、Ｕ字状の網枠部の先端開口部をゴム紐で連絡し、木の幹の形状に沿ってゴム紐が伸びることで隙間が小さくなり昆虫が逃げにくくなる捕虫網が提案されている（特許文献１）。
【０００４】
また、一旦、網袋部の内部に昆虫を捕えても虫カゴに昆虫を入れるまでに、昆虫に逃げられることもある。そこで、網袋部の開口部に中空二重部を設け、その中空部に網枠部及び締め紐を挿通し、柄部から締め紐を引っ張ることで網袋部の開口部が絞られることにより昆虫が逃げない捕虫網が提案されている（特許文献２）。
【０００５】
ところで、容易に自転車などに装着できる夜光反射バンドが提案されている（特許文献３）。特許文献３に記載された夜光反射バンドは、帯状かつ袋状に一体形成された夜光反射シートの芯材として、弾性特性を有する軟質プラスティック素材を薄帯状かつ断面半月状に一体形成した帯状弾性材が使用されている。当該帯状弾性材は、直線状の自立形状と丸まった収縮形状とを取りうるので、自転車の車体フレームや人の足、腕などに夜光反射バンドを容易に装着できる。
【先行技術文献】
【特許文献】
【０００６】
【特許文献１】実用新案登録第３１４３７９９号公報
【特許文献２】実公昭６２―１８２２２号公報
【特許文献３】実用新案登録第２５７０２７２号公報
【考案の概要】
【考案が解決しようとする課題】
【０００７】
しかし、特許文献１に記載された捕虫網は、Ｕ字状の網枠部の大きさと木の幹の直径との関係によってはやはり隙間ができてしまう。また、特許文献１に記載された捕虫網は、網袋部の開口部を閉じる機能は無いため、たとえ一旦、網袋部の内部に昆虫を捕えても虫カゴに昆虫を入れるまでに昆虫に逃げられる恐れがある。
【０００８】
特許文献２に記載された捕虫網は、網袋部の開口部を閉じるには、片方の手で柄部を持った状態でもう一方の手で締め紐を引っ張って操作する必要がある。そのため、取り扱いが難しく、素早く移動する昆虫を捕えるには問題がある。
【０００９】
そこで、本考案に係る捕虫網は、夜光反射バンドの芯材として用いられる帯状弾性材の優れた特性に着目し、捕虫網の網枠部の一部に使用することで、上記の課題を一挙に解決できる捕虫網を提供することを目的とする。
【課題を解決するための手段】
【００１０】
第１の考案に係る捕虫網は、２つの横部材と２つの縦部材の先端同志が係合され矩形状に形成された網枠部と、前記網枠部の全周に沿って開口部が取り付けられた網袋部と、前記網枠部の１つの横部材にＴ字を形成するよう先端部が係合された柄部と、を備えた捕虫網であって、前記横部材は、弾性特性を有する軟質プラスティック素材を薄帯状かつ断面半月状に一体形成した帯状弾性材からなり、前記横部材は直線状の自立形状と前記網袋部材の反対側に丸まった収縮形状とを取りうることを特徴とする。
【００１１】
第１の考案の捕虫網は、網枠部の上下に取り付けた帯状弾性材が木の幹に当たった瞬間に幹の形状に沿って丸まるので、幹の直径に応じた形状となって網枠部が幹に密着する。そのため、捕虫時に昆虫が隙間から逃げることがない。さらに、網枠部を木の幹から離すと帯状弾性材がさらに丸まり完全に網枠部の開口部が閉じられる。そのため、一旦、網袋部の内部に捕えた昆虫を虫カゴに入れるまでに逃がすことがない。
【００１２】
第２の考案の捕虫網は、第１の考案に加え、さらに前記縦部材は、金属、又は強化プラスティック、又はカーボン、又は木を素材とする棒であることを特徴とする。金属、又は強化プラスティック、又はカーボン、又は木を素材とする棒を使用することで縦部材が重りの役割を果たすので、網枠部を木の幹に当てた瞬間に直線状の自立形状から丸まった収縮形状へと帯状弾性材をより確実に形状変移させることができる。
【考案の効果】
【００１３】
本考案の捕虫網は片手で操作でき、昆虫に逃げられることなく簡単に虫取りができる。
【図面の簡単な説明】
【００１４】
【図１】本考案の実施の形態に係る捕虫網である。
【図２】帯状弾性材の説明図である。
【図３】図１の捕虫網の網枠部が閉じた状態を示す図である。
【図４】図１の捕虫網の網枠部の機能を説明する図である。
【図５】木に止まったセミを捕えようとする直前の状態図である。
【図６】木に止まったセミを捕える瞬間の状態図である。
【図７】セミを捕えた後の状態図である。
【図８】変形例に係る捕虫網である。
【考案を実施するための形態】
【００１５】
図１は本考案の実施の形態に係る捕虫網１を示す図である。捕虫網１の網枠部４は、２つの横部材２、２と２つの縦部材３、３の先端同志が係合され矩形状に形成されている。横部材２として、弾性特性を有する軟質プラスティック素材を薄帯状かつ断面半月状に一体形成した帯状弾性材５が用いられる。縦部材３として、金属製の丸棒が用いられる。横部材２と縦部材３とは針金、糸等を用いて縛ることで相互にしっかりと係合する。なお、縦部材３の素材として、強化プラスティック、カーボン、木の棒を使用することもできる。
【００１６】
図２は帯状弾性材５の説明図である。図２（ａ）は、帯状弾性材５が直線状の自立形状を取った状態を示している。この時、帯状弾性材５の全長に渡ってその断面は、図２（ｂ）に示すように半月状となっている。図２（ａ）に示すように、帯状弾性材５の中央部凸側６に力Ｆを加え、両端部凹側７に力Ｆ／２を加える。力Ｆが所定の値を越えると、帯状弾性材５は一気に図２（ｃ）に示す円形形状に丸まる特性を有する。
【００１７】
特許文献３に記載されているように、帯状弾性材５は夜光反射バンドの帯状かつ袋状に一体形成された夜光反射シートの芯材として利用されている。帯状弾性材５は上述した特性を有するので、自転車のフレーム又は運転者の手足などに夜光反射バンドを容易に装着したり取り外したりできる。なお、夜光反射バンドとしての利用の場合は、図２（ｃ）に示すように２つの円に丸まるのではなく、１つの円に丸まるよう使用する。
【００１８】
図１に示す網枠部４の横部材２（帯状弾性材５）は直線状の自立形状を取った状態となっている。その状態の網枠部４の矩形全周にそって網袋部１０の開口部１１が取り付けられる。網袋部１０は、樹脂製の糸を縦横に編んだ網が袋状に形成されている。網袋部１０の開口部１１の端部を網枠部４の横部材２及び縦部材３を包み込んだ状態で折り返し、網の重なった部分を樹脂製の糸等で縫うようにすればしっかりと取り付けることができる。
【００１９】
図１に示す枠部材４の下側の横部材２の中央部１２に柄部１３の先端部１４が係合される。係合された横部材２と柄部１３とでＴ字を形成している。横部材２（帯状弾性材５）と柄部１３とは、樹脂製の糸で縛ることで係合する。
【００２０】
図３は、図１の捕虫網１の網枠部４が閉じた状態を示している。網枠部４の横部材２を構成する２つの帯状弾性材５が共に丸まることで網枠部４が閉じている。それにより、網袋部１０の開口部１１も閉じている。以上説明したように、本考案に係る捕虫網１は、図１に示した枠部材４が開いた状態と図３に示した枠部材４が閉じた状態とを取り得るようになっている。
【００２１】
図４は、図１に示した本考案の捕虫網１の機能を説明する図である。図４（ａ）、（ｂ）、（ｃ）、（ｄ）の順に時間が経過する。図４（ａ）は、木の幹２０にとまっているセミ２１を木の根元の方から本考案の捕虫網１で捕えようとしている直前の状態を上方から見た絵で示している。このとき、捕虫網１の柄部１３は木の幹２０とほぼ平行となっているため図４（ａ）には表れていない。捕虫網１の網枠部４と網袋部１０は、セミ２１に向かって矢印２２の方向に移動している。
【００２２】
図４（ｂ）は、網枠部４の横部材２（帯状弾性材５）中央部と幹２０とが衝突する瞬間を示している。枠部材４の横部材２は急停止するが、縦部材３、３はさらに幹２０に接近しようとする慣性力が発生する。そのため、横部材２（帯状弾性材５）には、中央部に力２３が作用し、両端部に反対方向の力２４が作用する。この結果、横部材２（帯状弾性材５）は丸まろうと急速に変形し始める。
【００２３】
図４（ｃ）は、網枠部４の横部材２（帯状弾性材５）が幹２０の形状に沿って変形した状態を示している。このように網枠部４が幹２０の形状に沿って変形し幹２０との隙間が生じない。また、帯状弾性材５は円弧の半径を自由に変化しうるので、幹２０の直径がより大きい場合あるいは小さい場合であっても、隙間を生じることは無い。このように、セミ２１を確実に網袋部１０内に捕獲することができる。
【００２４】
図４（ｄ）は、網枠部４と網袋部１０を幹２０から離した状態を示している。網枠部４の横部材２（５）は、さらに収縮し２つの円の形状となる。このとき、２つの縦部材３、３は接触状態となるので、網袋部１０の開口部１１は閉じられた状態となる。したがって、網袋部１０内部のセミ２１を逃がすことなく確実に虫カゴまで持っていくことができる。
【００２５】
以降は、図５、図６、図７を用いて、本考案の捕虫網１を使ってセミ取りする様子を説明する。図５に示すように、捕虫網１の網枠部４は開口状態としておく。すなわち、２つの横部材２（帯状弾性材５）は直線状の自立形状にしておく。この状態では、通常の捕虫網と同様に、飛んでいる蝶、トンボ等の昆虫を捕獲することも可能である。
【００２６】
図６に示すように、捕虫網１の網枠部４を勢いよく木の幹２０にぶつける。すると、網枠部４が幹２０に沿うようすばやく変形するので、網袋部１０内に確実にセミ２１を捕獲することができる。
【００２７】
図７に示すように、捕虫網１の網袋部１０内にセミ２１を入れた状態で開口部１１を網枠部４が閉じるので、セミ２１を逃がす恐れはない。以上のように、本考案の捕虫網１は片手で操作でき、昆虫に逃げられることなく簡単に虫取りができる。本考案の捕虫網１は、木の幹にとまっていることが多い、セミ、クワガタ、カブトムシ、などの昆虫の捕獲には特に有効である。
【００２８】
本考案に係る実施の形態の変形例を、図８に示す。図８（ａ）に示すように、網枠部４の上下の横部材２（帯状弾性材５）の中央部にそれぞれ突起部材２５を張り付ける。そうすると、図８（ｂ）に示すように、非常に直径の大きな木の幹にカブトムシ２７がいるような場合であっても、突起部材２５が幹２６の表面に衝突することで、縦部材３に慣性力が確実に発生する。そして、その慣性力の作用で帯状弾性材５の変形を起こさせることができる。変形例の捕虫網３０は、昆虫が平坦な面にいる場合であっても使用可能である。
【００２９】
１：捕虫網
２：横部材
３：縦部材
４：網枠部
５：帯状弾性材
１０：網袋部
１１：開口部
１３：柄部
１４：先端部
３０：捕虫網
【図１】
0003215565.tif 000003
【図２】
0003215565.tif 000004
【図３】
0003215565.tif 000005
【図４】
0003215565.tif 000006
【図５】
0003215565.tif 000007
【図６】
0003215565.tif 000008
【図７】
0003215565.tif 000009
【図８】
0003215565.tif 000010